(57)【要約】自動的に可動なドアパネル（２２）の動きを制御するアセンブリ（２０）が、ドアパネル（２２）またはドアフレーム部材（２６）の少なくとも一方に配置されたセンサ（３０，３２，３４）を含む。感知部は、障害物が感知部に接触または非常に接近したときに指示を与える。自動ドアの動作中に障害物が挟まれそうな位置に、ドアまたはドアフレームの領域に亘って感知部が設定される。開示例は、障害物によって加えられた圧力に応答するセンサとしての電気機械的なフィルムを感知部に使用することを含む。他の開示例は、感知部に障害物が接触または非常に接近したときに少なくとも部分的に阻害される電界を発生させる電界効果センサを含む。ドアの自動動作中に障害物が挟まれそうな位置に障害物の存在を示す指示に応答してドアの自動的な動きが制御される。
2009515798.tif 000002
【特許請求の範囲】
【請求項１】
ドアフレームに沿って開位置と閉位置との間で自動的に動作可能なドアパネルと、
前記ドアフレームまたは前記ドアパネルの少なくとも一方に感知部を構成するように前記ドアフレームまたは前記ドアパネルの少なくとも一方に支持され、前記感知部に近接した障害物を検知し、前記障害物が検知されたことを示す出力を発信するセンサと、
前記センサからの出力に応答して前記ドアパネルの自動的な動きを制御する制御部と、
を備えるドアアセンブリ。
【請求項２】
前記センサの寸法が、前記感知部の寸法を定める感知領域を画定することを特徴とする請求項１に記載のアセンブリ。
【請求項３】
前記センサが、前記障害物によって前記感知部に加えられた圧力に応答して前記障害物を検知することを特徴とする請求項１に記載のアセンブリ。
【請求項４】
前記センサが前記圧力に応答して電圧を発生させ、この電圧の大きさが前記圧力の大きさを示すことを特徴とする請求項３に記載のアセンブリ。
【請求項５】
前記センサが電気機械的なフィルムを備えることを特徴とする請求項３に記載のアセンブリ。
【請求項６】
前記センサが、電界を発生させ、かつ前記障害物が前記電界を少なくとも部分的に阻害するように前記感知部に十分に接近したときに検知し、さらにこのセンサは、前記障害物が前記電界を少なくとも部分的に阻害したことに応答して前記出力を発信することを特徴とする請求項１に記載のアセンブリ。
【請求項７】
前記センサが、前記障害物と前記感知部との接触に応答して前記出力を発信することを特徴とする請求項６に記載のアセンブリ。
【請求項８】
前記センサが、前記電界を発生させる少なくとも１つのセルと、このセルの少なくとも一方の側で前記障害物に向けられている誘電体と、を備えることを特徴とする請求項６に記載のアセンブリ。
【請求項９】
前記感知部の全体に亘って感知領域が設けられるように配置された複数のセルを備えることを特徴とする請求項８に記載のアセンブリ。
【請求項１０】
前記制御部は、前記センサが前記出力を発信したときに前記ドアパネルが開位置と閉位置との間で動作中であるか否かを判定し、
さらにこの制御部は、自動ドアを動かし始める前に前記感知部から前記障害物を遠ざけるべきであると警告するか、または前記センサからの出力が変化するまで設定時間だけドアを停止させることを特徴とする請求項１に記載のアセンブリ。
【請求項１１】
前記感知部が、前記ドアパネルの縁を含むことを特徴とする請求項１に記載のアセンブリ。
【請求項１２】
前記感知部が、前記ドアパネルが自動的に動くときの前記ドアパネルの動きの方向に平行に向けられた平らな表面を含むことを特徴とする請求項１に記載のアセンブリ。
【請求項１３】
ドアパネルまたは関連するドアフレーム部材の少なくとも一方に感知部を設定し、
前記感知部に障害物が近接しているときを判定し、
前記感知部に前記障害物が近接しているときに前記ドアの自動的な動きを制御すること、
を含む、自動ドアの動きを制御する方法。
【請求項１４】
前記障害物が前記感知部に接触しているかを判定することを含む請求項１３に記載の方法。
【請求項１５】
前記障害物が前記感知部に圧力を加えているかを判定することを含む請求項１３に記載の方法。
【請求項１６】
前記感知部に電界を設定し、
前記障害物が前記電界を少なくとも部分的に阻害するほど前記感知部に接近したときを判定すること、
を含む請求項１３に記載の方法。
【請求項１７】
前記ドアの概ね平らな表面上に、前記ドアの開位置と閉位置との間の動きの方向に並行に向けられる前記感知部を設定することを含む請求項１３に記載の方法。
【請求項１８】
前記障害物が前記感知部に近接し、かつ前記ドアが静止している場合、前記障害物を前記感知部から遠ざけるべきであることを指示することと、
ドアの動作中に前記障害物が前記感知部に近接していることに応答して、少なくとも設定時間だけ前記ドアの動きを停止させることと、
を含む請求項１３に記載の方法。
【発明の詳細な説明】
【技術分野】
【０００１】
本発明は、概して、自動ドアに関し、詳しくは、自動ドアの動きを制御する方法に関する。
【背景技術】
【０００２】
様々な場所で種々の自動ドアの装置が使用されている。いくつかの状況においては、自動ドアは、ドアパネルと平行に、開位置と閉位置との間で摺動する。このドア装置の型式は、エレベータかごにアクセスするために一般に使用されている。
【０００３】
閉位置にある他の構造部材にドアの縁が近づく方向に自動ドアが動くときは常に、ドアと他の構造部材との間に障害物が挟まれる恐れがある。そのような状況を避けるために、様々な装置が提案されている。
【０００４】
エレベータドアの場合、ドアの先行縁に棒材を含むことにより、ドアの閉位置付近にある障害物を機械的に検知するセイフティーシューを使用することが知られている。この棒材に障害物が接触した場合、セイフティーシューは、ドアが自動的に完全には閉まることのないようにと指示し、障害物がドアと他の表面との間に挟まれることなく引き出されるようにする。他の例のアプローチでは、ドアの出入口に亘って検知光ビームを発生させる光ベースの検知器を使用する。ドアが自動で閉まりかけているときにドアの出入口に障害物があって光ビームを遮る場合、ドアが自動的に完全には閉まらずに、障害物が挟まれないようにする。
【発明の開示】
【発明が解決しようとする課題】
【０００５】
このような装置には、いくつかの制限がある。例えば、セイフティーシューは、典型的には、ハンドバッグに付いているストラップや人間の指のような比較的小さな障害物を検知できるほどの感知能力がない。また、このような小さな障害物は、セイフティーシューの棒材と同じ位置にない場合、挟まれてしまうことがある。障害物がドアに挟まれそうな位置にある場合にも、光ベースの検知器は、障害物が視野（例えば、光ビーム）に含まれないように制限されてしまう。周知技術の光ベースの装置についての他の欠点は、これらの装置が、典型的に、埃ないし飛散物に典型的に晒されて、適切な動作が妨げられる恐れがあることである。他の潜在的な問題は、他の光源が検知器を妨害する場合に現れる。
【０００６】
このような装置の他の欠点は、ドアの閉動作時にドアの先行縁で障害物が挟まれる可能性だけに対処することである。
【０００７】
自動ドアに挟まれそうな位置に障害物があるときに、これを検知する装置を改善することが望まれている。ドアが自動的に閉位置へ動いているか、開位置に動いているか、またはその両方であるときに、障害物が挟まれてしまう可能性を検知できる装置を提示することが有益である。本発明は、これらの必要性に対処する。
【課題を解決するための手段】
【０００８】
一例としてのドアアセンブリが、ドアフレームに沿って開位置と閉位置との間で自動的に動くことのできるドアパネルを含む。ドアフレームまたはドアパネルの感知部を設定するために、少なくとも１つのドアフレームまたはドアパネルにセンサが支持されている。センサは、感知部に接近した障害物を検知し、障害物が検知されたことを示す出力を発信する。制御部がセンサの出力に応答して、ドアパネルの自動的な動きを制御する。
【０００９】
一例においては、障害物によって感知部に加えられた圧力に応答して、センサが障害物を検知する。一例においては、このセンサは、電気機械的なフィルム（ＥＭＦｉ：登録商標、以下登録商標である旨の記載は省略）を含む。
【００１０】
他の例においては、センサは、電界を発生させ、障害物が少なくとも部分的に電界を阻害するほどに感知部に接近したときに、これを検知する。一例においては、センサは、障害物が感知部に接触したとき、つまり少なくとも部分的に電界を阻害したときに検知する。
【００１１】
本発明によって設計されたアセンブリが、動く方向に関わらず自動ドアの動きの制御に有用な包括的な検知能力を可能にする。計画的にセンサを位置づけて感知部を設定することにより、障害物が挟まれる可能性のある様々な事態を防ぐことができる。
【発明を実施するための最良の形態】
【００１２】
開示例は、ドアパネルまたはドアフレームの少なくとも一方に感知部を含み、この感知部によって、フレームに沿ってのドアパネルの自動動作中に、障害物が挟まれそうなドアパネルまたはドアフレームに沿った位置に障害物があるときに、これを検知することができる。開示例は、ドアが自動的に開位置または閉位置に向けて動いているか否かなどの状況を検知する。この実施例の手法を使って、さらに多種類の障害物を確実に検知することができ、自動ドアの動作中に障害物が挟まれる可能性のある数多くの事態に対処することができる。
【００１３】
図１は、一例としてのドアアセンブリ２０の選択された部分を概略的に示す。ドアパネル２２は、開位置と閉位置との間で自動的に動くことができる。図１の例は、閉位置にあるドアパネル２２を示す。図示した例においては、ドアパネル２２は、開位置と閉位置との間で動くように、リターンパネル２４に対して動く。リターンパネル２４は、この例においては、ドアフレームの一部であり、開位置でドアパネルを収容する戸袋に隣接している。
【００１４】
図１に示される全閉位置においては、ドアパネル２２の先行縁がドアフレーム部材２６の寸前にまで接近している。この例においては、ドアパネル２２は、開位置と全閉位置との間における出入口の全体に亘って効果的に動く。他の例においては、ドアの先行縁が互いに反対方向に動くように一組のドアが設けられ、その２つのドアが出入口の中央付近で互いに接近する。当業者であれば、この説明が与えれれば、本発明が様々なドアアセンブリの構成に有用であることを理解されるであろう。当業者であれば、この説明が与えられれば、本発明のいくつかの特徴を応用して上記の特定の必要性に応える方法を理解されるであろう。
【００１５】
ドアパネル２２は、ドアパネル２２に感知部を設定する関連したセンサ３０を有する。図示した例では、センサ３０の物理的な寸法は、感知部の寸法に対応する。センサ３０は、例えば、人間の手などの障害物が感知部に接触または接近したときに、検知することができる。図示した例では、センサ３０は、感知部が所望の向きに設定されるように、ドアパネル３０の選択された側に設けられている。
【００１６】
一例においては、センサ３０は、電気機械的なフィルム（ＥＭＦｉ）を備え、このフィルムは、加えられた圧力に応じて出力電圧を発生させる。このような圧力は、例えば、ドアパネル２２の感知部に寄りかかる人の手または他の障害物によって加えられる。
【００１７】
他の例においては、センサ３０は、ドアパネル２２の感知部に沿って電界を発生させる電界効果センサである。このような例においては、センサ３０は、障害物と感知部との接触を検知することができる。障害物が少なくとも部分的にセンサ３０の電界を妨げるとき、センサ３０は、それ（例えば、障害物が検知されたこと）を示す出力を発信する。この電界は、障害物とドアパネル２２の感知部との直接的な接触によって阻害されることがある。他の例においては、センサ３０は、障害物が接触するほどではないが非常に接近し、この障害物がセンサ３０の電界を少なくとも部分的に阻害するほど感知部に接近したときに、検知することができる。
【００１８】
図１の例の利点の１つは、ドアパネル２２のかなりの領域に亘って、センサ３０が感知部を設定できることである。このような装置は、ドアパネル２２の自動動作中に障害物が挟まれる可能性がある様々な位置における障害物の検知を可能とする。例えば、センサ３０に関連する図示された感知部は、ドアパネル２２の先行縁付近に障害物があり、ドアの閉動作中にパネル２２とドアフレーム２６との間に障害物が挟まれそうなときに、これを検知することができる。また、開動作時にドアパネル２２の感知部に接触または非常に近い位置に障害物がある場合は常に、ドアが開位置へ向かって引き出される際に、ドアパネル２２とリターンパネル２４との間に障害物が挟まれる可能性がある。センサ３０によって設定された感知部により、開位置への動きの通路に沿った任意の地点にそのような障害物があることを検知することができる。従って、開示例は、自動ドアの動作中に障害物が挟まれる可能性がある様々な位置において、さらに広範囲に及ぶ障害物の検知を可能にする。
【００１９】
従って、開示例は、従来のセンサの装置では認識することができなかった非常に小さな障害物を検知することができる。
【００２０】
図１の例は、リターンパネル２４上にある他のセンサ３２を含む。このセンサ３２は、リターンパネル２４上に、センサ３２の寸法と本質的に同一の広がりをもつ感知部を設定する。この例では、センサ３２は、リターンパネル２４の縁付近で、ドアパネル２２とリターンパネル２４との間の境界付近に設けられ、ドアパネル２２とリターンパネル２４との間に障害物が挟まれそうなときに、これを検知する。センサ３２は、感圧式または接触式、あるいは上記センサ３０のように感知部に非常に接近した障害物を検知する型式のセンサである。
【００２１】
図１の例は、ドアフレーム部材２６に感知部を設定する他のセンサ３４を含む。センサ３４は、センサ３０およびセンサ３２と同様に作動する。利点としては、図１に示すように複数のセンサを設けてもよいし、特定の状況の必要性に応じて１つまたは複数のみを選択的に使用することもできることである。当業者であれば、この説明が与えられれば、上記の特定の必要性を満たすセンサおよび対応する感知部の最良の配置の仕方を理解されるであろう。
【００２２】
図１の例は、自動ドア駆動装置４２の作動を制御する制御部４０を含む。センサ３０，３２および３４は、対応する感知部に障害物が検知されたことを示す出力を発信する。この出力は制御部４０に送られ、制御部４０は、応答してドアパネル２２の自動的な動きを制御する。
【００２３】
一例においては、感知部に障害物が検知されたときは常に、制御部４０は、そのときに自動駆動装置４２がドアパネル２２を動かしているか否かを判定する。ドアが静止している場合、制御部４０は、どのセンサから障害物の検知を示す出力が発信されたかに応じて、ドアまたはドアフレームから障害物を遠ざけるべきであることを指示することによって、センサからの出力に応答する。一例においては、ドアが自動動作中であってセンサ出力が受信されたときに、制御部４０は、ドアの動きを停止させ、障害物が挟まれる前に取り除かれるようにする。一例においては、ドアが停止する前に障害物が挟まれた場合に、制御部４０は、ドアを現在の位置から前後に低速で動かすように自動駆動装置に命令し、障害物が取り除かれるようにする。
【００２４】
このドアアセンブリがエレベータドアアセンブリに対応する場合、制御部４０は、エレベータかごの運行に関する情報を考慮に入れる。エレベータかごが移動中で、ドアの開く乗場に近づいている場合、制御部４０は、障害物が検知されたことを示すセンサ３０，３２および３４の１つからの出力に応答して、対応する位置から障害物を遠ざけるべきであることを指示する。このとき制御部４０は、障害物が取り除かれたことを対応するセンサが示す（例えば、感知部で障害物の検知を示す出力が発信されなくなる）まで、ドアが乗場で開き始めないようにする。制御部４０は、エレベータかごが移動中かつ目的階の乗場近くにないと判定した場合、障害物と感知部の１つとの接触に関するセンサの１つからの出力を少なくとも一時的に無視することがある。しかし大概は、制御部４０は、センサ３０，３２および３４の少なくとも１つからの出力に応答して、ドアパネルの自動的な動きを制御する。
【００２５】
本発明の実施例に従って設計されたセンサの装置を実施する様々な方法がある。図２は、ドアパネル２２の先行縁付近のみにセンサ３０’が設けられたときの一例としての装置を示す。図示した例では、ドアパネル２２は、エレベータかごのドアであり、周知の結合装置５２によって通路ドア５０に嵌合され、昇降路ドア５０と一緒に動く。センサ３０’に関連する感知部に障害物が接触または非常に接近したとき、制御部４０は、上記のようにドアの動きを制御することができる。特定の状況の必要性に応じて、通路ドア５０に他のセンサを付け加えてもよい。図２の例は、特に、ドア２２およびドア５０が全閉位置に向かって動いているときに、障害物が挟まれることを防ぐために有用である。
【００２６】
図３は、ドアパネル２２とリターンパネル２４との間に障害物が挟まれる可能性がある場合において、リターンパネル２４の縁にセンサ３２を設けた他の装置を概略的に示す。この構成においては、ドアパネル２２は、開動作で（引き出されることにより）右へ動く。このような動作中に、ドアパネル２２とリターンパネル２４との間に障害物が挟まれることがある。この例のセンサ３２は、障害物が挟まれる可能性のあるパネル間の境界付近に、挟まれそうな障害物が存在するか否かを検知する感知部を提供する。
【００２７】
図４は、開動作中または閉動作中に障害物が挟まれることがある様々な位置において障害物を検知するために、ドアパネル２２のかなりの部分に亘ってセンサ３０が延在する構成を概略的に示す。この例においては、センサ３０は、これらの動作時に障害物が挟まれそうな様々な位置に、障害物を検知する感知部を設定する。ドアパネル２２の先行縁は、センサ３０によって設定された感知部を有し、ドアパネル２２が全閉位置へ向かって動作中に、障害物が挟まれそうな位置にあるときに、これを検知する。図４の例は、ドアパネル２２上の感知部が、ドアパネルの大部分に亘って障害物を検知できる方法を示し、これは、ドアパネル２２の様々な自動動作の際に有用である。
【００２８】
上記のように、開示例で使用されるセンサは、異なる形態を有することがある。周知のＥＭＦｉは、ドアパネルまたはドアフレーム部材に感知区域を設けるために使用することができる。ＥＭＦｉフィルムは、周知の材料であり、周知の様式で電気的な出力を発信する。一例においては、制御部４０は、対応する感知部に障害物が存在することを示すＥＭＦｉ出力を受信し、これを解釈するようにプログラムされている。
【００２９】
図５は、ドアパネル２２に支持された誘電体５６を含む、一例としての電界効果センサの装置を概略的に示す。このドアパネル２２には、複数のタッチセル５８も支持されている。符号６０で概略的に示されるように、タッチセル５８と誘電体５６とは、協働して、感知部に沿って周知の態様で電界を設定する。ドアパネル２２の感知部に人の指などの障害物６２が接触または非常に接近した場合、符号６４で概略的に示されるように、電界６０の少なくとも一部が阻害される。センサ３０は、この態様で少なくとも部分的に電界が阻害されたことを示す出力を発信する。いくつかの例においては、ドアパネル２２の感知部に障害物が実際に接触しなくてもよい。いくつかの例においては、例えば、障害物が誘電体５６に非常に接近さえすれば、障害物の存在を示すセンサからの出力が発信されるほど十分に電界６０が阻害されることがある。
【００３０】
本発明と調和する感知部を設定するために、様々なセンサの構成を使用することができる。図５に概略的に示されている型式のセンサは、典型的に、２５ｍｍ2〜９００ｍｍ2程度のタッチセル５８を含む。さらに広い感知部が望まれる場合、図６に概略的に示すように複数のタッチセル５８を配置して、対応する広さの感知部をドアパネル２２上に設定することができる。図６の例においては、センサ３０は、ドアパネル２２に支持された複数のタッチセル５８および関連する誘電体を備え、これらは、感知部の所望の寸法および位置をパネル上に設定する。
【００３１】
図７は、センサ３０に用いる他のセンサの装置を概略的に示す。この例においては、センサ３０は、材料シート７２と、これに接合された電気伝導性フィルム７０を有する電気化学フィルム（ＥＭＦｉ）と、からなる。この例においては、材料シート７２は、約３０μｍの厚さのポリプロピレンからなる。材料シート７２は、平均径が１μｍの複数のキャビティ７４を含む。各キャビティ７４内には、電荷が保持されている。他の例においては、電気伝導性フィルム７０は、ポリエチレンフィルム（このような例では、材料７２である）の表面に電気伝導性ペーストがスクリーン印刷されたものからなる。
【００３２】
図８は、例示的なセンサ３０の１つを使用する一例としての電子機器の構成を概略的に示す。図８においては、増幅器８０は、センサ３０からの出力信号（例えば、電圧または電流）を増幅させる。アナログ・ディジタルコンバータ８２は、増幅器８０からのアナログ信号をディジタル信号に変換する。比較判定部８４が、このディジタル信号を閾値と比較する。この閾値は、ドアの動作中に障害物が挟まれている可能性に対応して、障害物とセンサ３０との間に十分な相互作用があるか否かを示す値である。この例においては、センサ３０からの信号が閾値の要求を満たすと比較判定部８４が判定した場合は常に、制御部４０は、比較判定部８４から信号を受信する。このとき、制御部４０は、応答してドア駆動装置４２を制御する。
【００３３】
ＥＭＦｉセンサ３０の場合、障害物によって加えられた圧力に比例して、電気伝導性フィルム７０に電位差が発生する。この電位差は、電圧などのアナログ信号に生じ、この信号は増幅器８０によって増幅され、アナログ・ディジタルコンバータ８２によって変換され、比較判定部８４で適切な閾値と比較される。当業者であれば、この説明が与えられれば、センサの設計やドアアセンブリの構成に部分的に基づく特定の状況に応じて、どの程度の閾値レベルが有用であるかを理解されよう。
【００３４】
障害物の検知が行われるいくつかの状況においては、障害物を現在の位置から遠ざけるべきであると警告または指示することが有用である場合がある。図８の例は、そのような指示を与える警告装置８６を含む。一例においては、視覚的な指示が与えられる。他の例においては、音声による指示が与えられる。障害物が挟まれそうな位置から障害物を遠ざけるべきであることを人間に警告するために、当然、視覚的な指示および音声による指示の組合せを提供することもできる。
【００３５】
図９を参照すると、一例としての制御方法が符号１００に示されている。この特定の制御方法は、エレベータドアの動きを制御するために有用である。エレベータかごが乗場にあるとき、ドアの閉動作が開始される（ステップ１０１）。ドアの閉動作中に、障害物が検知されたか否かが判定される（ステップ１０２）。図２の例においては、この検知は、例えば、センサ３０’の付近に障害物があるか否かを判定することを含む。障害物がなければ、ドアの閉動作が継続され（ステップ１０３）、ドアが全閉位置にあるか否かが判定される（ステップ１０４）。ステップ１０２で障害物が検知された場合、制御部４０は、検知信号を受信し、外来の障害物の検知信号を含む検知回数の数をカウントする。ドアの閉動作が停止される（ステップ１０６）。ドアが開き始める（ステップ１０７）。ドアが全開位置にあるか否かが判定される（ステップ１０８）。全開位置にある場合、開動作が停止される（ステップ１０９）。検知回数が設定検知回数と比較される（ステップ１１０）。現在の検知回数が設定検知回数よりも小さい場合、ドア開時間がカウントされ（ステップ１１１）、ステップ１１２で監視される設定ドア開時間だけドアが開いた状態に保たれる。適切な時間が経過した後に、次のドア閉動作を開始することができる（ステップ１０１）。
【００３６】
ステップ１０８でドアが全開位置にない場合、開動作が継続される（ステップ１１３）。ステップ１１０で、検知回数が設定検知回数より多く、ドアの動作が設定検知回数を上回る数で繰り返し行われていた場合、エレベータは、休止する（ステップ１１４）。
【００３７】
図８の例においても、ステップ１１２でドア開時間が十分に経過するまで、ドアが開いたままにされる（ステップ１１５）。他の例の制御技術は、図１０のフローチャート１２０にまとめられている。この例においては、ドアの開動作が開始された場合に、障害物を挟み得るドアに沿った位置にあるセンサによって、障害物が検知されたか否かが判定される。どのセンサからも障害物の存在が指示されないないときに、ドアの開動作が開始される（ステップ１２４）。ドアの開動作中に、障害物が挟まれそうな位置に障害物が検知されたか否かが判定される（ステップ１２６）。この判定（ステップ１２６）が否定された場合、全開位置になるまでドアの開動作が継続され（ステップ１２８）、全開位置になったか否かは、チェックされる（ステップ１３０）。
【００３８】
ステップ１２６で障害物が検知された場合に、開動作が停止される（ステップ１３４）。この例においては、ドアに沿った位置から障害物を遠ざけるべきであることを示す警告が与えられる（ステップ１３６）。障害物が取り除かれたか否かが判定される（ステップ１３８）。この例においては、障害物が取り除かれたことをセンサが示すまで、（視覚的または聴覚的な指示などの）警告が継続される。
【００３９】
ステップ１４０では、開動作が低速かつ低トルクで継続される。この低速の開動作中に、１つまたは複数のセンサによって障害物が検知されたか否かが判定される（ステップ１４２）。検知されない場合には、ドアの開動作が継続される（ステップ１４４）。ドアが全開位置になったか否かが判定される（ステップ１４６）。全開位置にない場合、障害物の監視が続けられるとともに、ドアの開動作が継続される。
【００４０】
以上の説明は、例示するためのものであり、本質を限定するものではない。当業者であれば、本発明の本質を逸脱することなく、いくつかの変更および修正がなされ得ることを理解されるであろう。本発明の法的保護の範囲は、請求項を検討することによってのみ、画定されたい。
【図面の簡単な説明】
【００４１】
【図１】本発明の実施例に従って設計された特徴部を含むドアアセンブリを示す概略図。
【図２】一例としてのセンサの配置を示す概略図。
【図３】他の例のセンサの配置を示す概略図。
【図４】他の例のセンサの配置を示す概略図。
【図５】本発明の実施例に有用なセンサの一種類を示す概略図。
【図６】図５の種類のセンサの配置の一例としてドアパネルに感知部を設定することを示す概略図。
【図７】本発明の実施例に有用な他の例のセンサの配置を示す概略図。
【図８】本発明の実施例に有用な電子装置の配置を示す概略図。
【図９】一例としての制御手順を示すフローチャート。
【図１０】他の例としての制御手順を示すフローチャート。
【図１】
2009515798.tif 000003
【図２】
2009515798.tif 000004
【図３】
2009515798.tif 000005
【図４】
2009515798.tif 000006
【図５】
2009515798.tif 000007
【図６】
2009515798.tif 000008
【図７】
2009515798.tif 000009
【図８】
2009515798.tif 000010
【図９】
2009515798.tif 000011
【図１０】
2009515798.tif 000012
【手続補正書】
【提出日】平成19年5月11日(2007.5.11)
【手続補正１】
【補正対象書類名】特許請求の範囲
【補正対象項目名】全文
【補正方法】変更
【補正の内容】
【特許請求の範囲】
【請求項１】
ドアフレームに沿って開位置と閉位置との間で自動的に動作可能なドアパネルと、
前記ドアフレームまたは前記ドアパネルの少なくとも一方に感知部を構成するように前記ドアフレームまたは前記ドアパネルの少なくとも一方に支持された電気機械的なフィルムを含み、前記感知部に近接した障害物を検知し、前記障害物が検知されたことを示す出力を発信するセンサと、
前記センサからの出力に応答して前記ドアパネルの自動的な動きを制御する制御部と、
を備えるドアアセンブリ。
【請求項２】
前記センサの寸法が、前記感知部の寸法を定める感知領域を画定することを特徴とする請求項１に記載のアセンブリ。
【請求項３】
前記センサが、前記障害物によって前記感知部に加えられた圧力に応答して前記障害物を検知することを特徴とする請求項１に記載のアセンブリ。
【請求項４】
前記センサが前記圧力に応答して電圧を発生させ、この電圧の大きさが前記圧力の大きさを示すことを特徴とする請求項３に記載のアセンブリ。
【請求項５】
前記センサが、電界を発生させ、かつ前記障害物が前記電界を少なくとも部分的に阻害するように前記感知部に十分に接近したときに検知し、さらにこのセンサは、前記障害物が前記電界を少なくとも部分的に阻害したことに応答して前記出力を発信することを特徴とする請求項１に記載のアセンブリ。
【請求項６】
前記センサが、前記障害物と前記感知部との接触に応答して前記出力を発信することを特徴とする請求項５に記載のアセンブリ。
【請求項７】
前記センサが、前記電界を発生させる少なくとも１つのセルと、このセルの少なくとも一方の側で前記障害物に向けられている誘電体と、を備えることを特徴とする請求項５に記載のアセンブリ。
【請求項８】
前記感知部の全体に亘って感知領域が設けられるように配置された複数のセルを備えることを特徴とする請求項７に記載のアセンブリ。
【請求項９】
前記制御部は、前記センサが前記出力を発信したときに前記ドアパネルが開位置と閉位置との間で動作中であるか否かを判定し、
さらにこの制御部は、自動ドアを動かし始める前に前記感知部から前記障害物を遠ざけるべきであると警告するか、または前記センサからの出力が変化するまで設定時間だけドアを停止させることを特徴とする請求項１に記載のアセンブリ。
【請求項１０】
前記感知部が、前記ドアパネルの縁を含むことを特徴とする請求項１に記載のアセンブリ。
【請求項１１】
前記感知部が、前記ドアパネルが自動的に動くときの前記ドアパネルの動きの方向に平行に向けられた平らな表面を含むことを特徴とする請求項１に記載のアセンブリ。
【請求項１２】
ドアパネルまたは関連するドアフレーム部材の少なくとも一方に電気機械的なフィルムを位置づけることにより、前記ドアパネルまたは前記関連するドアフレーム部材の少なくとも一方に感知部を設定し、
前記感知部に障害物が近接しているときを判定し、
前記感知部に前記障害物が近接しているときに前記ドアの自動的な動きを制御すること、
を含む、自動ドアの動きを制御する方法。
【請求項１３】
前記障害物が前記感知部に接触しているかを判定することを含む請求項１２に記載の方法。
【請求項１４】
前記障害物が前記感知部に圧力を加えているかを判定することを含む請求項１２に記載の方法。
【請求項１５】
前記感知部に電界を設定し、
前記障害物が前記電界を少なくとも部分的に阻害するほど前記感知部に接近したときを判定すること、
を含む請求項１２に記載の方法。
【請求項１６】
前記ドアの概ね平らな表面上に、前記ドアの開位置と閉位置との間の動きの方向に並行に向けられる前記感知部を設定することを含む請求項１２に記載の方法。
【請求項１７】
前記障害物が前記感知部に近接し、かつ前記ドアが静止している場合、前記障害物を前記感知部から遠ざけるべきであることを指示することと、
ドアの動作中に前記障害物が前記感知部に近接していることに応答して、少なくとも設定時間だけ前記ドアの動きを停止させることと、
を含む請求項１２に記載の方法。
【国際調査報告】
2009515798.tif 000013
2009515798.tif 000014
2009515798.tif 000015